(57)【要約】【課題】簡単且つ安価に所望の大きさの容器を組み立てられる組み立て容器部材を提供すること。【解決手段】組み立て容器用部材を最低限の種類で規格化し一体成形により製造することにより、組み立て容器用部材の製造・運搬・保管等に要するコストを低減することができる。最低限の種類の組み立て容器用部材の組み合わせにより所望の大きさの容器を得ることができる。【選択図】  図１
2004276989.tif 000002
【特許請求の範囲】
【請求項１】
互いに直交するＸ方向、Ｙ方向及びＺ方向に対して、
該Ｘ方向に延びる所定長さのＸ接合端面と、
該Ｘ接合端面の一端から該Ｚ方向に延びる所定長さのＺＸ接合端面と、
該Ｘ接合端面の他端を含みＺ方向に延びる軸を回転軸として、該Ｘ接合端面及び該ＺＸ接合端面がそれぞれ９０度回転した位置に有り、面形状が該Ｘ接合端面及び該ＺＸ接合端面にそれぞれ対向して接合可能なＹ接合端面及びＺＹ接合端面と、
を持つ一体成形されたシート状部材であって、
該回転軸に対して０度、９０度、１８０度及び２７０度の回転位置に４個配した場合に、それぞれの互いに対向する４組の該Ｘ接合端面及び該Ｙ接合端面、並びに４組の該ＺＸ接合端面及び該ＺＹ接合端面をそれぞれ接合することにより該Ｚ方向に開口する容器を組み立てることができることを特徴とする組み立て容器部材。
【請求項２】
前記Ｘ接合端面及び前記Ｙ接合端面で区画され前記Ｚ方向に直交する面を含む正方形の底壁部と、
該底壁部の該Ｙ接合端面に背向する端面で該底壁部に一体化し前記ＺＸ接合端面で区画され前記Ｘ方向に直交する面を含む方形の第一側壁部と、
該底壁部の該Ｘ接合端面に背向する端面で該底壁部に一体化し且つ該第一側壁部の該ＺＸ接合端面に背向する端面で該第一側壁部に一体化し且つ前記ＺＹ接合面で区画され前記Ｙ方向に直交する面を含む方形の第二側壁部と、
を持つ請求項１に記載の組み立て容器部材。
【請求項３】
前記第一側壁部の残る端面は第二Ｙ接合端面を構成し、前記第二側壁部の残る端面は第二Ｘ接合端面を構成する請求項２に記載の組み立て容器部材。
【請求項４】
前記底壁部、前記第一側壁部及び前記第二側壁部は略同一正方形形状である請求項３に記載の組み立て容器部材。
【請求項５】
前記Ｘ接合端面に対向して接合可能な第一底接合端面と、該第一底接合端面に所定問隔を隔てて背向し且つ前記Ｙ接合端面に対向して接合可能な第二底接合端面と、該第一底接合端面及び該第二底接合端面の各一端間に設けられた第三底接合端面と、を有する方形の第二底壁部と、
該第二底壁部の該第三底接合端面に背向する端面で該第二底壁部に一体化し且つ前記ＺＸ接合端面に対向して接合可能な第一側接合端面と、該第一側接合端面に所定間隔を隔てて背向し且つ前記ＺＹ接合端面に対向して接合可能な第二側接合端面と、を持ち該第二底壁部に直交する第三側壁部と、
を有し、一体成形された第一拡張部材を有する請求項１〜４のいずれかに記載の組み立て容器部材。
【請求項６】
前記第一拡張部材の前記第三底接合端面と対向して接合可能な第四底接合端面を４個の端面とし、一体成形された正方形状の第二拡張部材を有する請求項５に記載の組み立て容器部材。
【請求項７】
前記Ｘ接合端面に対向して接合可能な第四底接合端面と、該第四底接合端面に所定問隔を隔てて背向し且つ前記Ｙ接合端面に対向して接合可能な第五底接合端面と、該第四底接合端面及び該第五底接合端面の各一端間に設けられた第六底接合端面と、を有する方形の第四底壁部と、
該第四底壁部の該第六底接合端面に背向する端面で該第四底壁部に一体化し、前記ＺＸ接合端面に対向して接合可能な第三側接合端面と、該第三側接合端面に所定間隔を隔てて背向し且つ前記ＺＹ接合端面に対向して接合可能な第四側接合端面と、を持ち該第四底壁部に直交する第四側壁部と、
該第四底壁部及び該第四側壁部に直交し、該第四底壁部の該第六底接合端面に背向する端面及び該第六底接合端面のそれぞれの中点を通り、該第四底壁部及び該第四側壁部に一体化され且つ該第四側壁部に背向し且つ自身と対向して接合可能な第一隔壁接合端面をもつ隔壁部と、
を有し、一体成形された第三拡張部材を有する請求項１〜６のいずれかに記載の組み立て容器部材。
【請求項８】
前記Ｘ接合端面に対向して接合可能な第七底接合端面と、該第七底接合端面に所定問隔を隔てて背向し前記Ｙ接合端面に対向して接合可能な第八底接合端面と、該第七底接合端面及び該第八底接合端面の各一端間及び各他端間にそれぞれ設けられた第九底接合端面及び第十底接合端面と、を有する方形の第五底壁部と、
該第五底壁部の該第九底接合端面及び第十底接合端面で該第五底壁部に直交して一体化し、該第九底接合端面の中点から前記Ｚ方向に延び前記第一隔壁接合端面に対向して接合可能な第二隔壁接合端面と、該第二隔壁接合端面に背向し且つ該第二隔壁接合端面に対向して接合可能な第三隔壁接合端面とをもつ第二隔壁部と、
該第五底壁部の該第七底接合端面及び第八底接合端面で該第五底壁部に直交して一体化し、該第七底接合端面の中点から前記Ｚ方向に延び前記第一隔壁接合端面に対向して接合可能な第四隔壁接合端面と、該第四隔壁接合端面に背向し且つ該四二隔壁接合端面に対向して接合可能な第五隔壁接合端面とをもつ第三隔壁部と、
を有し、一体成形された第四拡張部材を有する請求項７に記載の組み立て容器部材。
【発明の詳細な説明】
【０００１】
【発明の属する技術分野】
本発明は、貯水システムの貯水タンク等に使用できる組み立て容器を構成する組み立て容器部材に関する。
【０００２】
【従来の技術】
従来技術として、筒状に形成された水槽本体と、その水槽本体の両端が側面板によって閉鎖されている内部が貯水空間とされた水槽であって、その水槽本体は、周方向に分割された複数の周面板を互いに連結することにより筒状に形成されていることを特徴とする水槽が記載されている（特許文献１）。その他の組み立て容器として特許文献２〜４が例示できる。
【０００３】
【特許文献１】特開２００２−３０８３７３号公報
【特許文献２】特開２００１−２４８１９１号公報
【特許文献３】実公昭５６−１４２３２号公報
【特許文献４】実公昭５６−１４２３１号公報
【０００４】
【発明が解決しようとする課題】
本発明は上記した装置とは異なる観点により簡単且つ安価に所望の大きさの容器を組み立てることができる組み立て容器部材を提供することを解決すべき課題とする。
【０００５】
【課題を解決するための手段】
本発明の組み立て容器部材は、互いに直交するＸ方向、Ｙ方向及びＺ方向に対して、
該Ｘ方向に延びる所定長さのＸ接合端面と、
該Ｘ接合端面の一端から該Ｚ方向に延びる所定長さのＺＸ接合端面と、
該Ｘ接合端面の他端を含みＺ方向に延びる軸を回転軸として、該Ｘ接合端面及び該ＺＸ接合端面がそれぞれ９０度回転した位置に有り、面形状が該Ｘ接合端面及び該ＺＸ接合端面にそれぞれ対向して接合可能なＹ接合端面及びＺＹ接合端面と、
を持つ一体成形されたシート状部材であって、
該回転軸に対して０度、９０度、１８０度及び２７０度の回転位置に４個配した場合に、それぞれの互いに対向する４組の該Ｘ接合端面及び該Ｙ接合端面、並びに４組の該ＺＸ接合端面及び該ＺＹ接合端面をそれぞれ接合することにより該Ｚ方向に開口する容器を組み立てることができることを特徴とする（請求項１）。
【０００６】
つまり、容器を分割したことで、▲１▼組み立て容器部材の大きさが小さくなり輸送が簡単にできること、▲２▼一体成形できる形状であるので製造が簡単にできること、という効果が生じた。なお、Ｘ接合端面、Ｙ接合端面及びＺＸ接合端面以外の部分の形状は特に限定されない。
【０００７】
そして、前記Ｘ接合端面及び前記Ｙ接合端面で区画され前記Ｚ方向に直交する面を含む正方形の底壁部と、該底壁部の該Ｙ接合端面に背向する端面で該底壁部に一体化し前記ＺＸ接合端面で区画され前記Ｘ方向に直交する面を含む方形の第一側壁部と、該底壁部の該Ｘ接合端面に背向する端面で該底壁部に一体化し且つ該第一側壁部の該ＺＸ接合端面に背向する端面で該第一側壁部に一体化し且つ前記ＺＹ接合面で区画され前記Ｙ方向に直交する面を含む方形の第二側壁部と、を持つことが好ましい（請求項２）。
【０００８】
また、前記第一側壁部の残る端面は第二Ｙ接合端面を構成し、前記第二側壁部の残る端面は第二Ｘ接合端面を構成することが好ましい（請求項３）。つまり、第二Ｘ接合端面及び第二Ｙ接合端面をもつことで、上下方向にも同じ組み立て容器部材を組み合わせることができるので密閉された容器を容易に組み立てることが可能となった。
【０００９】
そしてまた、前記底壁部、前記第一側壁部及び前記第二側壁部は略同一正方形形状であることが好ましい（請求項４）。つまり、前記底壁部、前記第一側壁部及び前記第二側壁部を略同一正方形形状とすることで、前記底壁部、前記第一側壁部及び前記第二側壁部が実質的に同一の形状となり本組み立て容器部材を組み合わせて容器とする場合に組み合わせる方向を合わせる必要がなくなる利点がある。
【００１０】
更に、前記Ｘ接合端面に対向して接合可能な第一底接合端面と、該第一底接合端面に所定問隔を隔てて背向し且つ前記Ｙ接合端面に対向して接合可能な第二底接合端面と、該第一底接合端面及び該第二底接合端面の各一端間に設けられた第三底接合端面と、を有する方形の第二底壁部と、
該第二底壁部の該第三底接合端面に背向する端面で該第二底壁部に一体化し且つ前記ＺＸ接合端面に対向して接合可能な第一側接合端面と、該第一側接合端面に所定間隔を隔てて背向し且つ前記ＺＹ接合端面に対向して接合可能な第二側接合端面と、を持ち該第二底壁部に直交する第三側壁部と、
を有し、一体成形された第一拡張部材を有することが好ましい（請求項５）。
【００１１】
つまり、第一拡張部材を有することで、組み立てられる容器をより自由な大きさにすることができる。
【００１２】
そして、前記第一拡張部材の前記第三底接合端面と対向して接合可能な第四底接合端面を４個の端面とし、一体成形された正方形状の第二拡張部材を有することが好ましい（請求項６）。
【００１３】
第二拡張部材を有することで、本組み立て容器部材により組み立てることができる容器の大きさに制限がなくなる。
【００１４】
また、前記Ｘ接合端面に対向して接合可能な第四底接合端面と、該第四底接合端面に所定問隔を隔てて背向し且つ前記Ｙ接合端面に対向して接合可能な第五底接合端面と、該第四底接合端面及び該第五底接合端面の各一端間に設けられた第六底接合端面と、を有する方形の第四底壁部と、
該第四底壁部の該第六底接合端面に背向する端面で該第四底壁部に一体化し、前記ＺＸ接合端面に対向して接合可能な第三側接合端面と、該第三側接合端面に所定間隔を隔てて背向し且つ前記ＺＹ接合端面に対向して接合可能な第四側接合端面と、を持ち該第四底壁部に直交する第四側壁部と、
該第四底壁部及び該第四側壁部に直交し、該第四底壁部の該第六底接合端面に背向する端面及び該第六底接合端面のそれぞれの中点を通り、該第四底壁部及び該第四側壁部に一体化され且つ該第四側壁部に背向し且つ自身と対向して接合可能な第一隔壁接合端面をもつ隔壁部と、
を有し、一体成形された第三拡張部材を有することが好ましい（請求項７）。
【００１５】
そしてまた、前記Ｘ接合端面に対向して接合可能な第七底接合端面と、該第七底接合端面に所定問隔を隔てて背向し前記Ｙ接合端面に対向して接合可能な第八底接合端面と、該第七底接合端面及び該第八底接合端面の各一端間及び各他端間にそれぞれ設けられた第九底接合端面及び第十底接合端面と、を有する方形の第五底壁部と、
該第五底壁部の該第九底接合端面及び第十底接合端面で該第五底壁部に直交して一体化し、該第九底接合端面の中点から前記Ｚ方向に延び前記第一隔壁接合端面に対向して接合可能な第二隔壁接合端面と、該第二隔壁接合端面に背向し且つ該第二隔壁接合端面に対向して接合可能な第三隔壁接合端面とをもつ第二隔壁部と、
該第五底壁部の該第七底接合端面及び第八底接合端面で該第五底壁部に直交して一体化し、該第七底接合端面の中点から前記Ｚ方向に延び前記第一隔壁接合端面に対向して接合可能な第四隔壁接合端面と、該第四隔壁接合端面に背向し且つ該四二隔壁接合端面に対向して接合可能な第五隔壁接合端面とをもつ第三隔壁部と、
を有し、一体成形された第四拡張部材を有することが好ましい（請求項８）。
【００１６】
つまり、第三拡張部材及び／又は第四拡張部材を有することで、本組み立て容器部材により組み立てられた容器の内部に必要に応じて隔壁を設けることができる。設けた隔壁は容器内部を複数の部分に区画したり、容器内部から容器を支持する作用効果をもつ。
【００１７】
【発明の実施の形態】
以下に本発明の組み立て容器部材について図に基づき詳細に説明する。本実施形態で説明する組み立て容器は上面が開放された水槽と密閉状態にされた水タンクとである。水槽及び水タンクともに使用目的に応じて排水口や注水口その他の付属部材を設けることができる。その場合に、組み立て容器に孔開け等の加工を行うことができる。なお、説明に用いる図は概略図であり細部の形態、寸法等は必ずしも正確ではなく、付属部材等の表示も省略している。
【００１８】
（第一実施形態）
本実施形態の組み立て容器部材は、図１に示すように、直交する底壁部１０と第一側壁部１１と第二側壁部１２とをもつ基本部材１である。底壁部１０と第一側壁部１１と第二側壁部１２とは直交する。図１では、底壁部１０、第一側壁部１１及び第二側壁部１２をそれぞれ直交座標のＸＹ面、ＹＺ面及びＺＸ面と平行にしている。底壁部１０、第一側壁部１１及び第二側壁部１２はそれぞれ方形形状であり、樹脂により一体的に成形されている。基本部材１の大きさ、壁の厚み等は組み立て容器の使用目的や運搬・保管のしやすさ等の条件に応じて適正に決定できる。例えば、大きな組み立て容器が必要な場合には基本部材１を大きくすることが望ましいが、運搬・保管の観点からは小さいことが好ましい。なお、基本部材１のみでは組み立てられる組み立て容器の大きさは、後述するように、基本部材１の大きさから一義的に決定されるが第二実施形態以降に示す拡張部材により、基本部材１や拡張部材の大きさに関わらず、任意の大きさの組み立て容器を組み立てることが可能である。
【００１９】
底壁部１０は、第二側壁部１２が接合された端面と反対側のＸ接合端面１０１と、第一側壁部１１が接合された端面と反対側のＹ接合端面１０２とをもつ。第一側壁部１１は、第二側壁部１２が接合された端面と反対側のＺＸ接合端面１１１と、底壁部１０が接合された端面と反対側の第二Ｙ接合端面１１２とをもつ。第二側壁部１２は、第一側壁部１１が接合された端面と反対側のＺＹ接合端面１２１と、底壁部１０が接合された端面と反対側の第二Ｘ接合端面１２２とをもつ。
【００２０】
Ｘ接合端面１０１及び第二Ｘ接合端面１２２はＸ方向に、Ｙ接合端面１０２及び第二Ｙ接合端面１１２はＹ方向に、そしてＺＸ接合端面１１１及びＺＹ接合端面１２１はＺ方向にそれぞれ延びている。
【００２１】
つまり、Ｘ接合端面１０１及びＹ接合端面１０２、並びにＺＸ接合端面１１１及びＺＹ接合端面１２１はＸ接合端面１０１とＹ接合端面１０２との交点を通るＺ方向に平行な軸を回転軸としたときに、それぞれ９０°回転した位置にある。
【００２２】
また、Ｘ接合端面１０１及びＹ接合端面１０２、並びにＺＸ接合端面１１１及びＺＹ接合端面１２１は、それぞれ対向して接合可能な面形状をもつ。つまり、基本部材１を２つ用意し、Ｘ接合端面１０１及びＹ接合端面１０２、並びにＺＸ接合端面１１１及びＺＹ接合端面１２１を対向して接合する場合にはそれぞれの面を隙間なく接合することができる。それぞれの接合端面１０１、１０２、１１１及び１２１は接合面積が大きくなるようにフランジ継ぎ手様の形態をもつ。
【００２３】
基本部材１の断面図（図１のＩＩ−ＩＩ断面図）を図２に示す。Ｙ接合端面１０２及び第２Ｙ接合端面１１２はシール部材（図略）を挟み込むことできる溝部１０２１及び１１２１とボルト（図略）により対向する接続端面を固定できる固定孔１０２２及び１１２２をもつ。シール部材により水密乃至は気密構造を達成できる。
【００２４】
基本部材１を４つ組み立てる様子を図３に示す。それぞれの基本部材１はＸ接合端面１０１及びＹ接合端面１０２、並びにＺＸ接合端面１１１及びＺＹ接合端面１２１をそれぞれ対向させて接合している。Ｘ接合端面１０１及びＹ接合端面１０２の接合部分の拡大断面図を図４に示す。Ｘ接合端面１０１の溝部１０１１及びＹ接合端面１０２の溝部１０２１にシール部材９を狭持してボルト７及びナット８にて締結されている。その結果、図３の紙面手前方向に開口する容器を得ることができる。
【００２５】
図３では４つの基本部材１を組み合わせたが図３の紙面手前方向に更に４つの基本部材１を組み合わせることで密閉された容器を得ることができる。
【００２６】
（第二実施形態）
本実施形態の組み立て容器部材は図１に示す基本部材１に加えて、図５及び図６に示す第一拡張部材２及び第二拡張部材３を有する。第一拡張部材２は、図５に示すように、直交する方形形状の部材である第二底壁部２０と第三側壁部２１とをもつ。第二底壁部２０は第一底接合端面２０１と、第一底接合端面２０１に背向する第二底接合端面２０２と、第一底接合端面２０１及び第二底接合端面２０２のそれぞれの一端に接する第三底接合端面２０３とをもつ。
【００２７】
第三側壁部２１は第二底壁部２０の第三底接合端面２０３と背向する端面と一体化しており、第一底接合端面２０１と同じ側の第一側接合端面２１１と、第二底接合端面２０２と同じ側で第一側接合端面２１１に背向する第二側接合端面２１２とをもつ。第一底接合端面２０１及び第二底接合端面２０２、第一側接合端面２１１及び第二側接合端面２１２、並びに第三底接合端面２０３間はそれぞれ対向した場合に隙間なく接合できる面形状をもち、フランジ状に突出する。
【００２８】
第二拡張部材３は前記第一拡張部材２の第三底接合端面２０３と対向して接合可能な面形状をもつ第四底接合端面３０１、３０２、３０３及び３０４を４個の端面とし、一体成形された正方形状の部材である。第四底接合端面３０１、３０２、３０３及び３０４は自身並びに前記第一拡張部材２の第三底接合端面２０３と対向して隙間なく接合できる面形状をもつ。
【００２９】
基本部材１を４つ、第一拡張部材２を４つ、そして第二拡張部材３を１つ組み合わせて組み立てる様子を図７に示す。それぞれの基本部材１、第一拡張部材２及び第二拡張部材３は基本部材１のＸ接合端面１０１を第一拡張部材２の第一底接合端面２０１に、基本部材１のＹ接合端面１０２を第一拡張部材２の第二底接合端面２０２に、基本部材１のＺＸ接合端面１１１を第一拡張部材２の第一側接合端面２１１に、そして基本部材１のＺＹ接合端面１２１を第一拡張部材２の第二側接合端面２１２にそれぞれ対向させて接合している。４つの第一拡張部材２の第三底接合端面２０３はそれぞれ第二拡張部材３の第四底接合端面３０１、３０２、３０３及び３０４に対向して接合している。図７に示すように、紙面手前方向に開口する容器であって、図３に示した容器の２倍の容積をもつ容器を得ることができる。
【００３０】
第一実施形態における説明と同様の方法で、更に同数の基本部材１、第一拡張部材２及び第二拡張部材３を組み合わせることで密閉された容器を得ることができる。図７で説明した形態のほかに、第一拡張部材２及び第二拡張部材３を更に加えることで必要な大きさの容器を得ることができる。第一拡張部材２及び第二拡張部材３により容器を拡張する方向としては図７における紙面広がり方向のほか、紙面手前方向にも拡張できる。
【００３１】
（第三実施形態）
本実施形態の組み立て容器部材は図１に示す基本部材１に加えて、図８に示す第三拡張部材４を有する。第三拡張部材４は、図８に示すように、直交する方形形状の第四底壁部４０、第四側壁部４１及び隔壁部４２をもつ。第四底壁部４０は第四底接合端面４０１と、第四底接合端面４０１に背向する第五底接合端面４０２と、第四底接合端面４０１及び第五底接合端面４０２のそれぞれの一端に接する第六底接合端面４０３とをもつ。
【００３２】
第四側壁部材４１は第四底壁部４０の第六底接合端面４０３と背向する端面と一体化しており、第四底接合端面４０１と同じ側の第三側接合端面４１１と、第五底接合端面４０２と同じ側で第三側接合端面４１１に背向する第四側接合端面４１２とをもつ。第四底接合端面４０１及び第五底接合端面４０２、第三側接合端面４１１及び第五側接合端面４１２、並びに第六底接合端面４０３間はそれぞれ対向した場合に隙間なく接合できる面形状をもち、フランジ状に突出する。
【００３３】
隔壁部４２は第四底壁部４０の第六底接合端面４０３に背向する端面及び第六底接合端面４０３のそれぞれの中点を通り、第四底壁部４０及び第四側壁部４１に一体化されている。第四側壁部４１に接合された端面に背向する第一隔壁接合端面４２１をもつ。第一隔壁接合端面４２１は自身と対向して接合可能な面形状をもつ。
【００３４】
基本部材１を４つ、そして第三拡張部材４を２つ組み合わせて組み立てる様子を図９に示す。第三拡張部材４は基本部材１を２つずつ組み合わせた部材間に配設される。つまり、基本部材１のＸ接合端面１０１を第三拡張部材４の第四底接合端面４０１に、基本部材１のＹ接合端面１０２を第三拡張部材４の第五底接合端面４０２に、基本部材１のＺＸ接合端面１１１を第三拡張部材４の第三側接合端面４１１に、そして基本部材１のＺＹ接合端面１２１を第三拡張部材４の第四側接合端面４１２にそれぞれ対向させて接合している。一方の第三拡張部材４の第六底接合端面４０３は他方の第六底接合端面４０３に対向して接合され、一方の第三拡張部材４の第一隔壁接合端面４２１は他方の第一隔壁接合端面４２１に対向して接合される。図９に示すように、紙面手前方向に開口する容器であって、図３に示した容器の１．５倍の容積をもつ容器を得ることができる。
【００３５】
第一実施形態及び第二実施形態における説明と同様の方法で、更に同数の基本部材１及び第三拡張部材４を組み合わせることで密閉された容器を得ることができる。図９で説明した形態のほかに、第一拡張部材２や第二拡張部材３そして第三拡張部材４を更に加えることで必要な大きさの容器を得ることができる。第一拡張部材２及び第二拡張部材３により容器を拡張する方向としては図９における紙面広がり方向のほか、紙面手前方向にも拡張できる。
【００３６】
（第三実施形態）
本実施形態の組み立て容器部材は基本部材１、第一拡張部材２及び第三拡張部材４に加えて、図１０に示す第四拡張部材５を有する。第四拡張部材５は、図１０に示すように、直交する方形形状の第五底壁部５０、第二隔壁部５１及び第三隔壁部５２をもつ。第五底壁部５０は第七底接合端面５０１と、第七底接合端面５０１に背向する第八底接合端面５０２と、第七底接合端面５０１及び第八底接合端面５０２のそれぞれの一端に接する第九底接合端面５０３及びそれぞれの他端に接する第十底接合端面５０４とをもつ。
【００３７】
第二隔壁部５１は第五底壁部５０の第九底接合端面５０３及び第十底接合端面５０４のそれぞれの中点を通り、第五底壁部５０に直交して一体化されている。第二隔壁部５１は第九底接合端面５０３に接する第二隔壁接合端面５１１と第十底接合端面５０４に接する第三隔壁接合端面５１２とをもつ。第二隔壁接合端面５１１及び第三隔壁接合端面５１２は対向して接合可能な面形状をもつ。
【００３８】
第三隔壁部５２は第五底壁部５０の第七底接合端面５０１及び第八底接合端面５０２のそれぞれの中点を通り、第五底壁部５０に直交して一体化されている。第三隔壁部５２は第七底接合端面５０１に接する第四隔壁接合端面５２１と第八底接合端面５０２に接する第五隔壁接合端面５２２とをもつ。第四隔壁接合端面５２１及び第五隔壁接合端面５２２は対向して接合可能な面形状をもつ。
【００３９】
基本部材１を４つ、第三拡張部材４を４つ、そして第四拡張部材５を１つ組み合わせて組み立てる様子を図１１に示す。基本部材１のＸ接合端面１０１を第三拡張部材４の第四底接合端面４０１に、基本部材１のＹ接合端面１０２を第三拡張部材４の第五底接合端面４０２に、基本部材１のＺＸ接合端面１１１を第三拡張部材４の第三側接合端面４１１に、そして基本部材１のＺＹ接合端面１２１を第三拡張部材４の第四側接合端面４１２にそれぞれ対向させて接合している。４つの第三拡張部材４の第六底接合端面４０３は第四拡張部材５の第七〜十底接合端面５０１〜５０４にそれぞれ接合される。図１１に示すように、紙面手前方向に開口する容器であって、図３に示した容器の９／４倍の容積をもち、内部が４つに区画された容器を得ることができる。
【００４０】
第一実施形態及び第二実施形態における説明と同様の方法で、更に同数の基本部材１等を組み合わせることで密閉された容器を得ることができる。図１１で説明した形態のほかに、更に必要な部材を加えることで必要な大きさの容器を得ることができる。第一拡張部材２及び第二拡張部材３により容器を拡張する方向としては図１１における紙面広がり方向のほか、紙面手前方向にも拡張できる。
【００４１】
紙面手前方向に本容器を拡張する場合には第四拡張部材５間に図１２で示す接続部材６を配設することで４つの区画を保ったまま容器を拡張できる。接続部材は第四拡張部材５において第五底壁部５０を除いた形態とほぼ同様の形態である。接続部材６を用いなくても図１１の紙面手前方向に容器を拡張できる。各隔壁部の存在により組み立てられた容器の強度が向上する。
【００４２】
更に、図１１において第三拡張部材４に代えて第二拡張部材３を用いることで、第四拡張部材５による容器の補強効果のみを追求することができる。
【００４３】
（変形例）
図１３に示すように、第一実施形態における基本部材１を２つ一体的に接合した基本部材１’を用いることができる。最初から容器の高さが決定されている場合に基本部材１間を接合する工数が省略できる効果がある。他の拡張部材についても同様に２つを一体的に接続して用いることができる。
【００４４】
また、容器の強度を補強するために各組み立て容器用部材にリブ状構造を導入することができる。
【図面の簡単な説明】
【図１】本実施形態の組み立て容器部材を構成する基本部材を示した概略図である。
【図２】図１に示した基本部材のＩＩ−ＩＩ断面図である。
【図３】本実施形態の組み立て容器部材により組み立てられた組み立て容器を示した概略図である。
【図４】本実施形態の基本部材の接合方法を示した概略図である。
【図５】本実施形態の組み立て容器部材を構成する第一拡張部材を示した概略図である。
【図６】本実施形態の組み立て容器部材を構成する第二拡張部材を示した概略図である。
【図７】本実施形態の組み立て容器部材で組み立てた組み立て容器を示した概略図である。
【図８】本実施形態の組み立て容器部材を構成する第三拡張部材を示した概略図である。
【図９】本実施形態の組み立て容器部材で組み立てた組み立て容器を示した概略図である。
【図１０】本実施形態の組み立て容器部材を構成する第四拡張部材を示した概略図である。
【図１１】本実施形態の組み立て容器部材で組み立てた組み立て容器を示した概略図である。
【図１２】本実施形態の組み立て容器部材を構成する接続部材を示した概略図である。
【図１３】本実施形態の組み立て容器部材を構成する基本部材の変形例を示した概略図である。
【符号の説明】
１…基本部材
１０…底壁部    １１…第一側壁部    １２…第二側壁部    １０１…Ｘ接合端面    １０２…Ｙ接合端面    １１１…ＺＸ接合端面    １１２…第二Ｙ接合端面    １２１…ＺＹ接合端面    １２２…第二Ｘ接合端面    １０２１、１１２１…溝部    １０２２、１１２２…固定孔
２…第一拡張部材
２０…第二底壁部    ２１…第三側壁部    ２０１…第一底接合端面
２０２…第二底接合端面    ２０３…第三底接合端面    ２１１…第一側接合端面    ２１２…第二側接合端面
３…第二拡張部材
３０１、３０２、３０３及び３０４…第四底接合端面
４…第三拡張部材
４０…第四底壁部    ４１…第四側壁部    ４２…隔壁部    ４０１…第四底接合端面    ４０２…第五底接合端面    ４０３…第六底接合端面    ４１１…第三側接合端面    ４１２…第四側接合端面    ４２１…第一隔壁接合端面
５…第四拡張部材
５０…第五底壁部    ５１…第二隔壁部    ５２…第三隔壁部    ５０１…第七底接合端面５０１    ５０２…第八底接合端面    ５０３…第九底接合端面    ５０４…第十底接合端面    ５１１…第二隔壁接合端面    ５１２…第三隔壁接合端面    ５２１…第四隔壁接合端面    ５２２…第五隔壁接合端面
６…接続部材
７…ボルト
８…ナット
９…シール部材
【図１】
2004276989.tif 000003
【図２】
2004276989.tif 000004
【図３】
2004276989.tif 000005
【図４】
2004276989.tif 000006
【図５】
2004276989.tif 000007
【図６】
2004276989.tif 000008
【図７】
2004276989.tif 000009
【図８】
2004276989.tif 000010
【図９】
2004276989.tif 000011
【図１０】
2004276989.tif 000012
【図１１】
2004276989.tif 000013
【図１２】
2004276989.tif 000014
【図１３】
2004276989.tif 000015